(57)【要約】【課題】本体内部に備えた逆回転可能なファンモータにより、本体裏面に配置したファン吸気口および排気口の機能を可逆に行わせることで、吸気口に堆積した塵埃によって生じる目詰まりを防ぎ、本来の冷却効率を発揮させること。【解決手段】調理モード時にはファンモータ６は、吸気口８に対して順方向（吸い込み側）に回転させる従来の吸排気方式を行うが、調理モード以外においてはファンモータ６を前述した吸排気方式とは逆の動き、すなわち吸気口８側で一時排気の動作を行わせることでファン吸気口８に堆積された塵埃の除去を行い、目詰まりを防いで本来の冷却効率を維持することができる。【選択図】  図１
2004220881.tif 000002
【特許請求の範囲】
【請求項１】
正面に操作パネルを有した本体と、前記本体天面で被加熱物を据え置くための電気絶縁性を有するトッププレートと、前記本体内部に配した加熱コイルと、前記加熱コイルに高周波電流を供給する制御回路と、前記本体内部で送風する逆回転可能なファンモータと、前記本体裏面には排気口および前記本体内部を冷却するための前記逆回転可能なファンモータを覆う籠体の吸気口を備えた誘導加熱調理器。
【請求項２】
加熱コイルに高周波電流を供給し被加熱物を誘導加熱する調理モード時には、ファンモータに吸気方向の回転を行わせ、加熱コイルへの高周波電流供給を遮断する調理終了モード時には排気方向の回転を行わせる請求項１に記載の誘導加熱調理器。
【請求項３】
調理モードから調理終了モードへ移行した時には、所定時間ファンモータを排気方向に回転させ、所定時間経過後ファンモータをオフする請求項２に記載の誘導加熱調理器。
【請求項４】
本体に商用電源を印加したとき、所定時間ファンモータを逆方向に回転させることで排気方向へ送風する請求項１〜３のいずれか１項に記載の誘導加熱調理器。
【請求項５】
ファンモータを強制的に逆回転させることで排気方向へ風向を変化させる吸気口クリーニングモードを備え、操作パネルに前記吸気口クリーニングモードを選択するための専用キーを設置した請求項１〜４のいずれか１項に記載の誘導加熱調理器。
【請求項６】
ファンモータを覆う籠体は、本体と着脱可能な請求項１〜５のいずれか１項に記載の誘導加熱調理器。
【請求項７】
籠体が本体と不嵌合状態の時には、前記ファンモータが回転せず、かつ加熱コイルに高周波電流を供給して被加熱物を誘導加熱する調理モードに移行しない請求項６に記載の誘導加熱調理器。
【請求項８】
籠体が、本体と不嵌合状態の時には報知を行い、かつ加熱コイルに高周波電流を供給して被加熱物を誘導加熱する調理モードに移行しない請求項６に記載の誘導加熱調理器。
【発明の詳細な説明】
【０００１】
【発明の属する技術分野】
本発明は、一般家庭用の誘導加熱調理器に関するもので、特に吸排気に関するものである。
【０００２】
【従来の技術】
従来の誘導加熱調理器の構成を、図５に示す。
【０００３】
図５に示すように、本体１９裏面には吸気口２０および排気口２１を設け、本体１９内部には加熱コイルに高周波電流を供給する制御回路を冷却するためのファンモータ２２を備えて構成されている誘導加熱調理器である。
【０００４】
この構成によれば、図５に示すように、ファン吸気は吸気口２０から行われ、排気は排気口２１から行われるというように吸排気は一方向でのみ行う構成とするのが一般的である（例えば、特許文献１参照）。
【０００５】
【特許文献１】
特開２０００−９１０６４号公報（第２頁、第９図）
【０００６】
【発明が解決しようとする課題】
しかしながら、前記従来技術におけるファンモータの構成では、一方向でのみ吸排気を行うため、ほこりの多い環境での使用、あるいは経年使用により、吸気口に徐々に塵埃が堆積することで目詰まりが生じ、誘導加熱調理器では特に重要である本体内部の制御回路に対する十分な冷却効果が得られにくくなるという問題があった。
【０００７】
本発明は、上記従来の課題を解決するもので、調理使用都度吸排気方向を逆転させて塵埃を除去し、常にファン吸気口をクリアな状態に保ち、本体内部の制御回路に対する適切な冷却効果を得ることができる誘導加熱調理器を提供することを目的とするものである。
【０００８】
【課題を解決するための手段】
前記従来の課題を解決するために、本発明の誘導加熱調理器は、本体正面に操作パネルを備え、本体天面には被加熱物を据え置くための電気絶縁性を有するトッププレートを備え、本体内部には加熱コイルと、前記加熱コイルに高周波電流を供給する制御回路、および逆回転可能なファンモータを備え、本体裏面には排気口および本体内部を冷却するための前記ファンモータを覆う籠体の吸気口を設けた構成としたものである。
【０００９】
この構成では、例えば加熱コイルに高周波電流を供給し被加熱物を誘導加熱する調理モード時にはファンモータに吸気方向すなわち順方向の回転を行わせ、加熱コイルへの高周波電流の供給を遮断する調理終了モード時には排気方向すなわち逆方向の回転を行わせることで風向を変化させる、あるいはファンモータを強制的に逆回転させることで排気方向へ風向を変化させる吸気口クリーニングモードを備えて、操作パネルに前記吸気口クリーニングモードを選択するための専用キーを設置することにより、調理使用都度吸排気方向を逆転させて塵埃を除去し、常にファン吸気口をクリアな状態に保ち、本体内部の制御回路に対する適切な冷却効果を得ることができるものである。
【００１０】
【発明の実施の形態】
請求項１に記載の発明は、本体正面に操作パネルを備え、本体天面には被加熱物を据え置くための電気絶縁性を有するトッププレートを備え、本体内部には加熱コイルと、前記加熱コイルに高周波電流を供給する制御回路、および逆回転可能なファンモータを備え、本体裏面には排気口および、内部を冷却するための前記逆回転可能なファンモータを覆う籠体の吸気口を設けた構成とし、吸気および排気を逆転させることで、ファン吸気口の塵埃除去を行い、目詰まりを未然に防ぐことで本体内部の制御回路に対する適切な冷却効果を得ることができるものである。
【００１１】
請求項２に記載の発明は、特に加熱コイルに高周波電流を供給し被加熱物を誘導加熱する調理モード時にはファンモータを吸気方向すなわち順方向回転、加熱コイルへの高周波電流の供給を遮断する調理終了モード時には排気方向すなわち逆方向回転を行わせることで、調理を行うごとに必ず吸気口の塵埃除去を行い、経年使用による吸気口部の塵埃の堆積を防ぐことができる。
【００１２】
請求項３に記載の発明は、調理モードから調理終了モードへ移行した時には、所定時間ファンモータを排気方向すなわち逆方向に回転させ、所定時間経過後ファンモータをオフさせることで、ファンモータの騒音を継続させないようにすることができる。
【００１３】
請求項４に記載の発明は、本体に商用電源を印加したとき、所定時間ファンモータを逆方向に回転させて排気方向へ送風させる構成とすることで、調理使用前すなわち本体保存期間中に吸気口周りに付着した塵埃を商用電源印加時にファンモータを逆方向に回転させて除去することができ、吸気口周りをクリアな状態にしてから調理モードに入ることができるため、本体内部の制御回路に対する冷却効果が適切に得られる。
【００１４】
請求項５に記載の発明は、ファンモータを強制的に逆回転させることで排気方向へ風向を変化させる吸気口クリーニングモードを備えて、操作パネルに前記吸気口クリーニングモードを選択するための専用キーを設置することにより、使用者は必要に応じて任意に吸気口のクリーニングモードを選択して吸気口のクリーニングを行うことができる。
【００１５】
請求項６に記載の発明は、特にファンモータを覆う籠体を本体から着脱可能とすることで、ファンの風圧では除去しきれない塵埃、たとえば油などを含む粘着性のある塵埃等が付着した際には、籠体を本体から取り外して単体で洗浄することができる。
【００１６】
請求項７に記載の発明は、ファンモータを覆う着脱可能な籠体が本体に対し不嵌合状態の時には、前記ファンモータが回転せず、また加熱コイルに高周波電流を供給して被加熱物を誘導加熱する調理モードにも移行しない構成とすることで、使用者の安全性を向上し事故を防止することができる。
【００１７】
請求項８に記載の発明は、ファンモータを覆う着脱可能な籠体が本体に対して不嵌合状態の時には報知を行い、かつ加熱コイルに高周波電流を供給して被加熱物を誘導加熱する調理モードに移行しない構成とすることで使用者は、より分かりやすく嵌合状態を認知でき、安全に使用することができる。
【００１８】
【実施例】
以下、本発明の実施例について、図面を参照して説明する。
【００１９】
（実施例１）
本発明の実施例１について、図１により説明する。図１は、本発明の実施例１における誘導加熱調理器の構成図である。
【００２０】
図１に示すように、本体１正面に操作パネル２を備え、本体１天面には、被加熱物を据え置くための電気絶縁性を有するトッププレート３を備え、本体１内部には加熱コイル４と、前記加熱コイル４に高周波電流を供給する制御回路５、および逆回転可能なファンモータ６を備え、本体１裏面には排気口７および、本体１内部を冷却するための逆回転可能なファンモータ６を覆う籠体の吸気口８を設けた構成である。
【００２１】
この構成により、加熱コイルに高周波電流を供給し被加熱物を誘導加熱する調理モードの時には、ファンモータ６は吸気口８に対して順方向（吸い込み側）に回転させる従来の吸排気方式を行うが、調理モード以外においてはファンモータ６を前述した吸排気方式とは逆の動き、すなわち逆回転を行うことで、吸気口８側で排気の動作を行わせる。これにより、ファン吸気口８に堆積される塵埃の除去を行って目詰まりを未然に防ぐことができ、調理モードの時は本体１内部の制御回路５に対する適切な冷却効果を得ることができる。
【００２２】
（実施例２）
以下、本発明の実施例２について、図２により説明する。図２は、本発明の実施例２における誘導加熱調理器の構成図である。
【００２３】
図２の基本構成は、図１のものと同様であるものとする。
【００２４】
この構成により、特に加熱コイルに高周波電流を供給し被加熱物を誘導加熱する調理モード時には吸気口９内側に設置されたファンモータ１０に順方向（吸い込み側）の回転を与え、調理モードを終了して加熱コイルへの高周波電流の供給を遮断する調理終了モード時には逆方向（吐き出し側）の回転を与えることで、調理を行うごとに必ず吸気口９の塵埃除去を行わせ、経年使用による吸気口９の塵埃の堆積を防ぐことができる。
【００２５】
さらに、調理モードから調理終了モードへ移行した時には、例えば１分間ファンモータを逆方向（吐き出し側）に回転させ、１分経過後ファンモータをオフすることにより、ファンモータの騒音を継続させないようにすることができる。
【００２６】
また、上述した内容に加えて、調理モードに入る前、すなわち本体１１に商用電源を印加したときに、例えば１分間逆方向（吐き出し側）の回転をファンモータ１０に行わせる構成とすることで、調理使用前すなわち本体１１保存期間中に吸気口９周りに付着堆積した塵埃を除去することができ、吸気口９周りをクリアな状態にしてから調理モードに入ることができるため、本体１１内部の制御回路に対する冷却効果をより向上させることができる。
【００２７】
（実施例３）
以下、本発明の実施例３について、図３により説明する。図３は、本発明の実施例３における誘導加熱調理器の構成図である。
【００２８】
図３に示すように、ファンモータ１４を強制的に逆回転させることで排気方向へ風向を変化させる吸気口クリーニングモードを備えて、操作パネル１２に前記吸気口クリーニングモードを選択するための専用キー１３を設置した構成である。
【００２９】
この構成より、吸気口クリーニングモードを選択するための専用キー１３を操作し、吸気クリーニングモードを選択すると、ファンモータ１４を強制的に逆方向（吐き出し側）に回転させることができるため、使用者は必要に応じて任意に吸気口１５のクリーニングモードを選択して吸気口１５のクリーニングを行うことができる。
【００３０】
（実施例４）
以下、本発明の実施例４について、図４により説明する。図４は、本発明の実施例４における誘導加熱調理器の構成図である。
【００３１】
図４に示すように、特にファンモータ１６を覆う籠体１７を本体１８に対し着脱可能とした構成である。
【００３２】
この構成より、ファンモータ１６の風圧では除去しきれない塵埃、たとえば油などを含む粘着性のある塵埃等が付着した際には、籠体１７を本体１８から取り外して単体で洗浄することができるため、クリアな状態で吸気ができることから本来要求される吸排気効率を維持でき、本体１８内部の制御回路に対する適切な冷却効果を発揮することができる。
【００３３】
また、ファンモータ１６を覆う着脱可能な籠体１７が本体１８に対し不嵌合状態の時には、ファンモータ１６が回転せず、また加熱コイルに高周波電流を供給し、被加熱物を誘導加熱する調理モードにも移行しない構成とすることで、籠体１７が本体１８に対し不嵌合状態で使用された時の使用者の安全性を向上することができる。
【００３４】
あるいは、ファンモータ１６を覆う着脱可能な籠体１７が本体１８に対し不嵌合状態の時には報知を行い、かつ調理モードにも移行しない構成とすることで、使用者は、より分かりやすく籠体１７と本体１８の嵌合状態を認知でき、機器を安全に使用することができる。
【００３５】
【発明の効果】
以上のように、請求項１〜８に記載の発明によれば、本体裏面に排気口および本体内部を冷却するための逆回転可能なファンモータと前記ファンモータを覆う籠体の吸気口を設けて吸排気方向を逆転させることでファン吸気口の塵埃除去を行うこと、また加熱コイルに高周波電流を供給し被加熱物を誘導加熱する調理モード時にはファンモータを吸気方向すなわち順方向に回転させ、加熱コイルへの高周波電流の供給を遮断する調理終了モード時には、ファンモータを排気方向すなわち逆方向に回転させることで調理を行うごとに必ず吸気口の塵埃除去を行い、経年使用による吸気口部の塵埃の堆積を未然に防ぐこと、あるいは、調理モードから調理終了モードへ移行した時には、所定時間ファンモータを排気方向すなわち逆方向に回転させ、所定時間経過後ファンモータをオフすることで、モータから生じる騒音を継続させないようにすることができる。
【００３６】
また、本体に商用電源を印加した時、所定時間ファンモータを逆方向に回転させて排気方向へ風向を変化させる構成とすることで調理使用前すなわち本体保存期間中に吸気口周りに付着した塵埃を除去し、吸気口周りをクリアな状態にしてから調理モードに入ることができる。
【００３７】
また、ファンモータを強制的に逆回転させることで排気方向へ風向を変化させる吸気口クリーニングモードを備えて、操作パネルに前記吸気口クリーニングモードを選択するための専用キーを設置することで、使用者は必要に応じて任意に吸気口のクリーニングモードを選択して吸気口のクリーニングを行うことができ、常にファン吸気口をクリアな状態に保つことで本来要求される吸排気効率を維持し、本体内部の制御回路に対する適切な冷却効果を得ることができる。
【００３８】
また、ファンモータを覆う籠体を本体から着脱可能とすることで、ファンの風では除去しきれない塵埃、たとえば油などを含む粘着性のある塵埃等が付着した際には、籠体を本体から取り外して単体で洗浄でき、かつ再び籠体を本体に嵌合させる際には、不嵌合時にファンが回転しないかあるいは報知によって使用者に知らせ、かつ調理モードにも移行しない誘導加熱調理器を提供することができる。
【図面の簡単な説明】
【図１】本発明の実施例１における誘導加熱調理器の構成図
【図２】本発明の実施例２における誘導加熱調理器の構成図
【図３】本発明の実施例３における誘導加熱調理器の構成図
【図４】本発明の実施例４における誘導加熱調理器の構成図
【図５】従来の誘導加熱調理器の構成図
【符号の説明】
１、１１、１８  本体
２、１２  操作パネル
３  トッププレート
４  加熱コイル
５  制御回路
６、１０、１４、１６  ファンモータ
７  排気口
８、９、１５  吸気口
１３  専用キー
１７  籠体
【図１】
2004220881.tif 000003
【図２】
2004220881.tif 000004
【図３】
2004220881.tif 000005
【図４】
2004220881.tif 000006
【図５】
2004220881.tif 000007